Podtech/llm-jp-corpus-v4-ja_patent huggingface dataset:
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
量子化された直交変換係数を逆量子化して、逆量子化された直交変換係数を取得する方法であって、
重みマトリクスを取得し、
量子化パラメータを取得し、
前記重みマトリクスの所定位置の成分値と、前記量子化パラメータを自然数で割った余り及び前記所定位置に応じて定められた正規化値と、を乗算してレベルスケール値を取得し、
量子化された直交変換係数と前記レベルスケール値を乗算し、
乗算結果を前記量子化パラメータに応じたビット数シフトして逆量子化された直交変換係数を得る、逆量子化方法。
【請求項２】
前記正規化値は、前記重みマトリクスの成分値の位置に応じて決定された値である、
請求項１記載の逆量子化方法。
【請求項３】
前記正規化値は、前記位置が垂直及び水平方向に何番目かに応じた値である、請求項２記載の逆量子化方法。
【請求項４】
量子化された直交変換係数を逆量子化して、逆量子化された直交変換係数を逆直交変換してブロック画像を取得する方法であって、
重みマトリクスを取得し、
量子化パラメータを取得し、
前記重みマトリクスの所定位置の成分値と、前記量子化パラメータを自然数で割った余り及び前記所定位置に応じて定められた正規化値と、を乗算してレベルスケール値を取得し、
量子化された直交変換係数と前記レベルスケール値を乗算し、
乗算結果を前記量子化パラメータに応じたビット数シフトして逆量子化された直交変換係数を取得し、
取得された前記直交変換係数を加減算処理とビットシフト演算処理により逆直交変換して、ブロック画像を得る、
画像復号化方法。
【請求項５】
ブロック単位に画像データを復号する画像復号装置であって、
重みマトリクス及び量子化パラメータを取得し、前記重みマトリクスの所定位置の成分値と、前記量子化パラメータを自然数で割った余りと前記所定位置とに応じて定められた正規化値と、を乗算してレベルスケール値を取得する取得部と、
量子化された直交変換係数と前記レベルスケール値を乗算する乗算部と、
乗算結果を前記量子化パラメータに応じたビット数シフト演算するシフタと、
シフトされた結果を逆直交変換する逆直交変換部と、
を含む画像復号装置。
【請求項６】
動画像の復号装置に用いられるプロセッサであって、
前記プロセッサは集積回路を含み、前記プロセッサは前記集積回路を用いて、
重みマトリクス及び量子化パラメータを取得し、
前記重みマトリクスの所定位置の成分値と、前記量子化パラメータを自然数で割った余り及び前記所定位置に応じて定められた正規化値と、を乗算してレベルスケール値を取得し、
量子化された直交変換係数と前記レベルスケール値を乗算し、
乗算結果を前記量子化パラメータに応じたビット数シフトし、
シフト結果を逆直交変換する演算を実行する
プロセッサ。
【請求項７】
コンピュータで画像を復号するためのプログラムであって、
前記プログラムは前記コンピュータに、
量子化された直交変換係数を逆量子化して直交変換係数を取得するための複数のステップを実行させ、
前記複数のステップは、
重みマトリクスを取得するステップと、
量子化パラメータを取得するステップと、
前記重みマトリクスの所定位置の成分値と、前記量子化パラメータを自然数で割った余り及び前記所定位置に応じて定められた正規化値と、を乗算してレベルスケール値を取得するステップと、
量子化された直交変換係数と前記レベルスケール値を乗算するステップと、
乗算結果を前記量子化パラメータに応じたビット数シフトして逆量子化された直交変換係数を得るステップと、
を前記コンピュータに実行させるプログラム。
【請求項８】
請求項７記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】逆量子化方法、画像復号化方法、逆量子化装置、画像復号化装置およびプログラム
【手続補正３】
【補正対象書類名】明細書
【補正対象項目名】０００１
【補正方法】変更
【補正の内容】
【０００１】
本発明は、動画像を効率良く圧縮する画像符号化方法とそれを正しく復号化する画像復号化方法、画像符号化装置、逆量子化方法、逆量子化装置、およびプログラムに関する。
【手続補正４】
【補正対象書類名】明細書
【補正対象項目名】００１９
【補正方法】変更
【補正の内容】
【００１９】
本発明の目的は、量子化処理および逆量子化処理の計算負荷を軽減する画像復号化方法、画像符号化方法、逆量子化方法、画像復号化装置、画像符号化装置、逆量子化装置およびそのプログラムを提供することを目的とする。
【手続補正書】
【提出日】平成19年5月14日(2007.5.14)
【手続補正１】
【補正対象書類名】明細書
【補正対象項目名】０００７
【補正方法】変更
【補正の内容】
【０００７】
本方法は、発信元ノードが、複数の宛先ノードへ向かうトラフィック及びリソースを管理すること、リソースを複数の宛先ノードの間で動的に分配すること、及び、要求されるサービスクラス及びサービス品質に依存してその複数のキュー内にメモリ容量を予約することを特徴とし、さらに、順序付けられた複数のキューに係るセルの挿入及び除去（又は抽出）のために１つ又は複数の異なる構成が使用されることを特徴とする。
【手続補正２】
【補正対象書類名】図面
【補正対象項目名】図１
【補正方法】変更
【補正の内容】
【図１】
2007535192.tif 000001
【手続補正書】
【提出日】平成20年1月23日(2008.1.23)
【手続補正１】
【補正対象書類名】明細書
【補正対象項目名】００１０
【補正方法】変更
【補正の内容】
【００１０】
タンパク質の記述は、該タンパク質を定義するアミノ酸の特異的な配列を含んでよい。例えば、図２において、「ORIGIN」という用語によって前置きされたプリントアウトの部分に、アミノ酸配列データがタンパク質の記述の最後に見出される。この例において、最初のいくつかのアミノ酸は「myrpdvvrar」（配列番号１）であり、これは、メチオニン、チロシン、アルギニン、プロリン、アスパラギン酸、バリン、バリン、アルギニン、アラニン及びアルギニンに対応する。
【手続補正２】
【補正対象書類名】明細書
【補正対象項目名】００１４
【補正方法】変更
【補正の内容】
【００１４】
例えば、（図５の腫瘍ウイルスカテゴリーにおいて最後にエントリーした）C型肝炎において発生する１３残基のパターン「hyppkpgcivpak」（配列番号１８）は、レプリキンパターンである。なぜなら、（１）それは、８残基離れた２つのリジン残基を含み；（２）それは、ヒスチジン残基を含み、そして（３）リジン残基のパーセンテージは、１５．４％である２／１３であるからである。
【手続補正３】
【補正対象書類名】明細書
【補正対象項目名】００２０
【補正方法】変更
【補正の内容】
【００２０】
アミノ酸配列パターンを記述することに関しては、単純化された一組の正規表現機能が典型的に採用される。これらの単純な正規表現ルールによって定義されたアミノ酸配列パターンは、外観および結果の両方においてPROSITE パターンにかなり類似することとなる。アミノ酸配列についての正規表現による記述は、以下のルールにしたがって作られる：
（１）アミノ酸残基については大文字を用い、そして（必要ではないが）「−」を２つのアミノ酸の間に置く。
（２）特定の位置における複数のアミノ酸の選択肢については「［］」を使用する。［LIVM］は、L、I、V又はMの任意の1つのアミノ酸がその位置にあることができることを意味する。
（３）アミノ酸を除外するためには「｛｝」を使用する。したがって、｛CF｝は、CおよびFがその特定の位置にあってはならないことを意味する。いくつかのシステムにおいては、除外機能は、「＾」記号で特定されることができる。例えば、＾Gは、グリシン以外のすべてのアミノ酸を意味し、そして［＾ILMV］は、I、L、MおよびV以外のすべてのアミノ酸を表す。
（４）任意のアミノ酸であることのできる位置については、「ｘ」又は「X」を使用する。
（５）複数の位置については、nが数字である「（n）」を使用する。例えば、ｘ（３）は、「ｘｘｘ」と同じである。
（６）複数又は可変の位置については、「（ｎ１，ｎ２）」を使用する。したがって、ｘ（１，４）は、「ｘ」又は「ｘｘ」又は「ｘｘｘ」又は「ｘｘｘｘ」を表す。
（７）パターンがＮ又はＣ末端にマッチすることを要求するためには、「＞」というシンボルを該パターンの最初又は最後に使用する。例えば、「＞MDEL」（配列番号１０８）は、MDEL（配列番号１０８）で始まる配列のみを見出す。「DEL＞」はDELで終わる配列のみを見出す。
【手続補正４】
【補正対象書類名】明細書
【補正対象項目名】００２２
【補正方法】変更
【補正の内容】
【００２２】
他の類似のフォーマットも使用される。例えば、Basic Local Alignment Search Tool (BLAST)は、インターネット上で利用可能な周知のシステムであり、ヌクレオチドおよびタンパク質データベースの迅速な検索のためのツールを提供する。BLASTは、３つのフォーマット：FASTA配列フォーマット、NCBI寄託番号、又はGenBank配列番号で入力された配列を受け入れる。しかしながら、これらのフォーマットは、正規表現又はPROSITEパターンよりも構造がより単純である。FASTAフォーマットの配列の例は以下の：
【化１】
2007535766.tif 000001
（配列番号３）である。
【手続補正５】
【補正対象書類名】明細書
【補正対象項目名】００４８
【補正方法】変更
【補正の内容】
【００４８】
【図１】図１は、International Union of Pure and Applied Chemistry(IUPAC)によって供給された基準に従って、アミノ酸を単一のアルファベット文字としてコード化する変換表である。
【図２】図２は、National Center for Biotechnology Information (NCBI)によって保持されているタンパク質データベースを検索することによって得られたヒト癌タンパク質（配列番号４）のプリントアウトである。
【図３】図３は、核酸塩基トリプレットとアミノ酸の間の対応を示す変換表である。
【図４】図４は、３つの「トリインフルエンザ」の大流行に先立つ、ヘマグルチニンの選択された系統中のレプリキンパターン濃度の急速な増加を示すグラフである。
【図５】図５は、さまざまな生物体中に発見されたレプリキンパターンの選択された例（配列番号１０、１８、４３及び４８〜８９）を示す表である。
【図６】図６は、本発明の実施態様によって、アミノ酸配列中のレプリキンパターンを同定するためのシステム及び方法を組み込んだコンピュータシステムの高レベルのブロック図である。
【図７】図７は、本発明の実施態様によって、アミノ酸配列中のレプリキンパターンを位置決めするための一般的な方法を示す単純なフローチャートである。
【図８】図８は、本発明の実施態様によって、アミノ酸配列中の複数のレプリキン様パターンを位置決めするための一般化された方法を示すフローチャートである。
【図９】図９は、本発明の実施態様によって、アミノ酸配列中のレプリキンパターンを発見するための手順を含むソースコードリストである。
【図１０】図１０は、異なるタンパク質中の、実質的に固定されたアミノ酸位置において発生するレプリキン足場を示す表である（配列番号５〜９、１１〜１７、１９〜４２、４４〜４７、９０〜１０７及び２が上から下に、それぞれ開示される。）。
【図１１】図１１は、本発明において有用なコンピュータシステムプラットフォームの単純化されたブロック図である。
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
デバッグ・メッセージをマスキングする方法であって、
デバッグ情報を備えるデバッグ・メッセージを発生するステップであって、前記デバッグ・メッセージのための複数のフィールドを指定する少なくとも１つのデバッグ標準と互換性のあるメッセージ・フォーマットに基づいて前記デバッグ情報をフォーマット化するステップを備える前記発生するステップと、
ユーザが構成可能な少なくとも１つのマスクを前記デバッグ・メッセージに適用して、マスキングされたデバッグ・メッセージを発生するステップと、を備え、
前記デバッグ・メッセージが、複数のフィールドを備え、
前記ユーザが構成可能な少なくとも１つのマスクを前記デバッグ・メッセージに適用してマスキングされたデバッグ・メッセージを発生する前記ステップが、前記ユーザが構成可能な少なくとも１つのマスクを適用して、前記複数のフィールドのうちの少なくとも１つをマスキングするステップを備える、方法。
【請求項２】
前記ユーザが構成可能な少なくとも１つのマスクを前記デバッグ・メッセージに適用してマスキングされたデバッグ・メッセージを発生する前記ステップが、前記ユーザが構成可能な少なくとも１つのマスクを適用して、前記複数のフィールドのうちの少なくとも１つのフィールドの一部をマスキングするステップを備え、
前記少なくとも１つのフィールドの前記一部が、前記少なくとも１つのフィールドの全部より小さい
請求項１記載の方法。
【請求項３】
前記複数のフィールドが、データ・フィールド及びアドレス・フィールドを備える請求項２記載の方法。
【請求項４】
前記複数のフィールドが、データ・サイズ・フィールド、ソース・フィールド及びメッセージ・タイプ・フィールドを備える請求項３記載の方法。
【請求項５】
前記ユーザが構成可能な少なくとも１つのマスクをユーザが構成可能な複数のマスクから選択するステップを更に備え、
前記ユーザが構成可能な複数のマスクのそれぞれが、前記デバッグ・メッセージ内の前記複数のフィールドのうちの１つのフィールドに対応する
請求項１記載の方法。
【請求項６】
デバッグ機能を実行し、当該デバッグ機能に対応するデバッグ情報を備えるデバッグ・メッセージを発生するデバッグ回路であって、当該デバッグ・メッセージを発生することが前記デバッグ・メッセージのための複数のフィールドを指定する少なくとも１つのデバッグ標準と互換性のあるメッセージ・フォーマットに基づいて前記デバッグ情報をフォーマット化することを含む、デバッグ回路と、
ユーザが構成可能なマスキング情報を格納するマスク記憶回路と、
前記マスク記憶回路に結合されたマスキング回路であって、前記ユーザが構成可能なマスキング情報を前記デバッグ・メッセージに適用して、複数のフィールドを備えるマスキングされたデバッグ・メッセージを発生するマスキング回路と、を備え、
前記マスキング回路が、前記マスキング情報を適用して、前記複数のフィールドのうちの少なくとも１つのフィールドの一部をマスキングし、
前記少なくとも１つのフィールドの前記一部が、前記少なくとも１つのフィールドの全部より小さい、装置。
【請求項７】
前記デバッグ回路に結合されたソース回路を更に備え、
前記デバッグ回路が、前記デバッグ機能を前記ソース回路の少なくとも一部について実行する
請求項６記載の装置。
【請求項８】
前記ソース回路が、プロセッサを備える請求項７記載の装置。
【請求項９】
前記ユーザが構成可能なマスキング情報が、ユーザが構成可能な複数のマスクとして格納される請求項６記載の装置。
【請求項１０】
前記マスキング回路が、前記ユーザが構成可能な複数のマスクのうちの少なくとも１つを選択して、前記デバッグ・メッセージに適用して、前記のマスキングされたデバッグ・メッセージを発生する請求項９記載の装置。
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
文書から参照キーを抽出するための方法であって、
少なくとも１つのキーを識別するために当該文書を構文解析するステップを含み、当該キーは、少なくとも１つの標識から識別され、前記方法はさらに、
キーの種類に応じて当該キーを分類するステップを含み、当該キーの種類は、当該少なくとも１つの標識から識別され、前記方法はさらに、
当該キーを抽出するステップと、
構造化されたシェル内の或る位置に当該キーを格納するステップとを含み、当該キーが抽出された当該文書を探索者が識別することを可能にする当該キーおよび当該キーの種類のうちの少なくとも１つをシークする探索により当該キーが見付けられ得るように、当該位置は当該キーの種類に対応する、方法。
【請求項２】
当該文書は、コンピュータ読取可能なコンテンツおよびコンピュータ非読取可能なコンテンツのうちの１つを含む、請求項１に記載の方法。
【請求項３】
当該文書は.pdf文書を含む、請求項１に記載の方法。
【請求項４】
当該キーの種類は、タイトル、ヘッダ、フッタ、文書の種類、文書識別子、主題識別子、セクション識別子、章識別子、およびページ番号の少なくとも１つを含む、請求項１に記載の方法。
【請求項５】
当該標識は、配置標識、フォーマット標識、およびフォント標識の少なくとも１つを含む、請求項１に記載の方法。
【請求項６】
当該標識は、一般的な知識、限定的な知識、および特定の文書フォーマット規則の少なくとも１つを含む、知識から導出される、請求項５に記載の方法。
【請求項７】
当該配置標識は、ページ位置を含む、請求項５に記載の方法。
【請求項８】
当該フォーマット標識は、数字のパターンおよび分離記号のパターンの少なくとも１つ
を含む文字パターンを含む、請求項５に記載の方法。
【請求項９】
当該フォント標識は、タイプフェース、ボールドフェース、アンダーラインが施されたテキスト部分、およびフォントサイズの少なくとも１つを含む、請求項５に記載の方法。
【請求項１０】
当該キーを抽出するステップは、当該キーを複製するステップを含む、請求項１に記載の方法。
【請求項１１】
当該文書がコンピュータ非読取可能なコンテンツを含む際に、当該キーを抽出するために光学式文字認識を使用するステップをさらに含む、請求項１に記載の方法。
【請求項１２】
当該構造化されたシェルは、拡張可能マークアップ言語（XML）文書を含む、請求項１
に記載の方法。
【請求項１３】
文書から参照キーを抽出するためのシステムであって、
少なくとも１つのキーを識別するために当該文書を構文解析するように構成される構文解析系を備え、当該キーは少なくとも１つの標識から識別され、前記システムはさらに、
キーの種類に応じて当該キーを識別するように構成される識別器を備え、当該キーの種類は、当該少なくとも１つの標識から識別され、前記システムはさらに、
当該キーを抽出し、構造化されたシェル内の或る位置に当該キーを格納するように構成される分類器を備え、当該キーが抽出された当該文書を探索者が識別することを可能にする当該キーおよび当該キーの種類のうちの１つをシークする探索によって当該キーが見付けられ得るように、当該位置は当該キーの種類に対応する、システム。
【請求項１４】
当該文書は、コンピュータ読取可能なコンテンツおよびコンピュータ非読取可能なコンテンツの１つを含む、請求項１３に記載のシステム。
【請求項１５】
当該文書は.pdf文書を含む、請求項１３に記載のシステム。
【請求項１６】
当該キーの種類は、タイトル、ヘッダ、フッタ、文書の種類、文書識別子、主題識別子、セクション識別子、章識別子、およびページ番号の少なくとも１つを含む、請求項１３に記載のシステム。
【請求項１７】
当該標識は、配置標識、フォーマット標識、およびフォント標識の少なくとも１つを含む、請求項１３に記載のシステム。
【請求項１８】
当該標識は、一般的な知識、限定的な知識、および特定の文書フォーマット規則の少なくとも１つを含む知識から導出される、請求項１７に記載のシステム。
【請求項１９】
当該配置標識は、ページ位置を含む、請求項１７に記載のシステム。
【請求項２０】
当該フォーマット標識は、数字のパターンおよび分離記号のパターンの少なくとも１つを含む文字パターンを含む、請求項１７に記載のシステム。
【請求項２１】
当該フォント標識は、タイプフェース、ボールドフェース、アンダーラインが施されたテキスト部分、およびフォントサイズの少なくとも１つを含む、請求項１７に記載のシステム。
【請求項２２】
当該キーを抽出することは、当該キーを複製することを含む、請求項１３に記載のシステム。
【請求項２３】
当該文書がコンピュータ非読取可能なコンテンツを含む際に、当該キーを抽出するために光学式文字認識を使用するように構成される光学式文字認識器をさらに備える、請求項１３に記載のシステム。
【請求項２４】
当該構造化されたシェルは、拡張可能マークアップ言語（XML）文書を含む、請求項１３に記載のシステム。
【手続補正２】
【補正対象書類名】明細書
【補正対象項目名】００１４
【補正方法】変更
【補正の内容】
【００１４】
図１は、この発明の一実施例に従った、ソース文書１１０をマイニングするための一般化されたシステム１００のブロック図である。文書１１０は、以下により詳細に説明するように、さまざまなナビゲーションキーの識別および抽出を指向するマイニング規則１２０に従って調査される。抽出されたキーは、その後、構造化されたフォーマット１３０で格納される。構造化されたフォーマット１３０はXML文書を含み得るが、抽出されたキー
が実質的なコンテンツベースの文書でも格納され得ることが認識されるであろう。特定の一実施例において、キーは、ソース文書への移動およびソース文書内での移動を容易にするために使用される、構造化されたフォーマットで格納される。既存の文書内を移動して、根底に存在する完全な文書へのアクセスを容易にするために、マイニングされた情報が使用される。
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
被験者の個人的および組織的な特性分析のためのシステムであって、
前記被験者から情報を導き出すように設計された調査モジュールと、
前記被験者から導き出された前記情報を分析することができる分析モジュールと、
思考、情動、および行為の３つの基本領域を備え、前記被験者から導き出された前記情報の分析に基づいて前記被験者の特性を明らかにすることができるフレームワークと、
レポート・モジュールとを備えるシステム。
【請求項２】
前記被験者は人間または組織である請求項１に記載のシステム。
【請求項３】
前記調査モジュールは前記被験者から前記情報を導き出すために一連の質問を使用し、前記被験者は前記一連の質問に回答を提供する請求項１に記載のシステム。
【請求項４】
前記調査モジュールは前記被験者から前記情報を導き出すために一連の記述を使用し、前記被験者は前記一連の記述に類似性の範囲を示す請求項１に記載のシステム。
【請求項５】
前記分析モジュールは前記フレームワークに基づいて前記被験者から導き出された情報を分析する請求項１に記載のシステム。
【請求項６】
前記レポート・モジュールはあらかじめ定められた主題に基づいて前記被験者に関するカスタマイズされたレポートを生成することができる請求項１に記載のシステム。
【請求項７】
前記フレームワークは前記基本領域を３原色に関連付ける請求項１に記載のシステム。
【請求項８】
前記分析モジュールはさらに前記原色の混合により形成された等和色に基づいて前記被験者の資質を識別する請求項７に記載のシステム。
【請求項９】
被験者の個人的および組織的な特性分析のための方法であって、
前記被験者から情報を導き出すことができる調査を提供するステップと、
思考、情動、および行為の３つの基本領域を備える、フレームワークに基づいて前記被験者からの情報を分析するステップと、
前記分析された情報に基づいて前記被験者の特性を識別するステップと、
識別された前記特性をレポートするステップとを備える方法。
【請求項１０】
前記被験者は人間または組織である請求項９に記載の方法。
【請求項１１】
前記調査は前記被験者が回答を示す質問のリストを備える請求項９に記載の方法。
【請求項１２】
前記調査は前記被験者が類似性の範囲を示す記述のリストを備える請求項９に記載の方法。
【請求項１３】
前記３つの基本領域に原色を関連付けるステップをさらに含む請求項９に記載の方法。
【請求項１４】
前記原色の混合により生成された１つまたは複数の等和色を介して前記被験者の資質を識別するステップをさらに含む請求項１３に記載の方法。
【請求項１５】
識別された前記特性をレポートするステップは前記特性および前記関連付けられている原色を識別するステップを含む請求項１に記載の方法。
【請求項１６】
識別された前記特性をレポートするステップは前記特性、前記資質、および前記関連付けられている原色と等和色を識別するステップを含む請求項１４に記載の方法。
【請求項１７】
被験者の個人的および組織的な特性分析のための方法であって、
前記被験者から情報を導き出すことができる調査であって、被験者が類似性の範囲を示す記述のリストを備える調査を提供するステップと、
思考、情動、および行為の３つの基本領域のフレームワークであって、前記基本領域が、色に対応するフレームワークと、前記被験者によって示される類似性の範囲とに基づいて、前記被験者からの情報を分析するステップと、
前記フレームワークと、前記被験者によって示される類似性の範囲とに基づいて前記情報を重み付けするステップと、
前記被験者からの分析された情報に基づいて前記基本領域に対応する色を図式の中心に向って移動させることによって、前記基本領域を表わす図式を修正する修正ステップであって、図式の中心に向って色を移動させることにより、色が重なる二次色を形成するようにする修正ステップと、
を備える方法。
【請求項１８】
前記被験者が、個人または組織である請求項１７に記載の方法。
【請求項１９】
前記分析した情報または図式の少なくとも１つに基づいて前記被験者の特性を識別するステップをさらに備える請求項１７に記載の方法。
【請求項２０】
識別された特性をレポートするステップをさらに備える請求項１９に記載の方法。
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
ターゲットを走査するための配置であって、
光線を放射する光源と、
自己共振モードで動作する第１の共振ドライブであって、第１のスキャンミラーを振動させることにより、共振周波数で該ターゲットを横切る第１の方向に沿って該光源からの該光線を反射する第１の共振ドライブと、
駆動モードで動作する第２のドライブであって、第２のスキャンミラーを振動させることにより、駆動周波数で該第１の方向に直角の第２の方向に沿って該第１のスキャンミラーからの該光線を反射する第２のドライブと、
該ドライブに作用可能に接続されたコントローラであって、該第１のドライブと同期して該第２のドライブを駆動することにより、該駆動周波数と該共振周波数との間の所与の周波数関係で該ターゲットにわたり複数の走査線の走査パターンを生成するコントローラと
を備える、配置。
【請求項２】
前記ドライブのうちの１つのドライブは、対称軸に関して対称に配置された一対のステータ部分を有するステータと、該対称軸に関して対称に配置された一対のロータ部分を有するロータと、該ステータ部分と該ロータ部分との間に平行に延びた一対のスプリングと、該ロータと一体化された中央部分であって、該一対のスプリング間に延びた中央部分とを含む、請求項１に記載の配置。
【請求項３】
前記ステータ部分、前記ロータ部分および前記スプリングは、共通の平面にあり、前記スキャンミラーのうちの１つは、該共通の平面に対してある角度で傾斜して該共通の平面の一方の面において前記中央部分に取り付けられている、請求項２に記載の配置。
【請求項４】
前記１つのドライブは、前記共通の平面の反対の面において前記中央部分に取り付けられている永久磁石と、該永久磁石の永久磁界と磁気的に相互作用する周期的な磁界を発生する巻線を有する電磁コイルとを含む、請求項３に記載の配置。
【請求項５】
前記コントローラに接続された温度変換器であって、前記スプリングの堅さの変化を調整するために温度の変化を測定する温度変換器を含む、請求項２に記載の配置。
【請求項６】
各ドライブは、対称軸に関して対称に配置された一対のステータ部分を有するステータと、該対称軸に関して対称に配置された一対のロータ部分を有するロータと、該ステータ部分と該ロータ部分との間に平行に延びた一対のスプリングと、該ロータと一体化された中央部分であって、該一対のスプリング間に延びた中央部分とを含む、請求項１に記載の配置。
【請求項７】
前記光源、前記ドライブ、前記コントローラが共通に取り付けられたプリント回路基板を含む、請求項１に記載の配置。
【請求項８】
ハンドルを有するハンドヘルドハウジングであって、該ハンドルは、前記プリント回路基板が収納されている内部の境界となる、ハンドヘルドハウジングを含む、請求項７に記載の配置。
【請求項９】
前記コントローラは、前記第１の共振ドライブの前記共振周波数を測定し、該共振周波数で該第１の共振ドライブを駆動し、該コントローラは、振動時に前記第１のスキャンミラーの方向の逆転を検知し、該方向の逆転に応答して同時に前記第２のドライブを駆動することにより、前記周波数関係を維持する、請求項１に記載の配置。
【請求項１０】
前記第１の共振ドライブは、前記共振周波数で走査開始信号を生成するフィードバック巻線を有し、該走査開始信号は、前記方向の反転に対する遷移を有し、前記コントローラは、該走査開始信号を受信および処理することにより、該遷移の関数として前記第２のドライブを駆動する出力駆動信号を生成するマイクロプロセッサを含む、請求項９に記載の配置。
【請求項１１】
前記第２のドライブは、各遷移において駆動されることにより、前記複数の走査線のうちのそれぞれの１つを生成する、請求項１０に記載の配置。
【請求項１２】
前記共振周波数は、前記駆動周波数よりも大きく、前記周波数関係は、該駆動周波数に対する該共振周波数の比であり、該比は、前記ターゲットの走査中に前記コントローラによって一定に維持される、請求項１に記載の配置。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
光スキャン配置であって、
該配置は、軸５０８の周りにおいて可動な反射領域５０２であって、該反射領域５０２に入射する光を反射するように作用する反射領域５０２と、ベース領域５０４と、該軸５０８に沿って離間された一対のねじれヒンジであって、該ベース領域５０４と該反射領域５０２との間に接続されていて、該反射領域５０２を該軸５０８の周りの移動のために支持する一対のねじれヒンジとを有しており、
該配置は、
該一対のねじれヒンジの各々が、分離されており、かつ、該ねじれヒンジの一方側において該軸５０８に対して直線的に略平行に延びている第１のヒンジ部分と、該ねじれヒンジの他方側において該軸５０８に対して直線的に略平行に延びている第２のヒンジ部分と、該軸５０８を直線的に横切るように延びているオフセット部分であって、該第１のヒンジ部分と該第２のヒンジ部分とを接続するオフセット部分とを有していることと、
該ベース領域５０４を直接移動させ、次に、該軸５０８の周りにおいて該反射領域５０２を間接的に移動させることにより、該入射光をスキャンする複数の圧電素子５１０、５１４、５１６、５１８と
を特徴とする、配置。
【請求項２】
前記反射領域５０２、前記ベース領域５０４および前記ねじれヒンジは、一体型かつ略平面状の基板である、請求項１に記載の配置。
【請求項３】
前記ベース領域５０４は、前記反射領域５０２を囲む、請求項１に記載の配置。
【請求項４】
プリント回路基板５１８をさらに備えており、前記圧電素子５１０、５１４、５１６、５１８は、該プリント回路基板５１８の上方の平面上にある、請求項１に記載の配置。
【請求項５】
前記圧電素子５１０、５１４、５１６、５１８は、細長く、前記軸５０８に向かって延びているが、該軸５０８には及ばずに終わる、請求項１に記載の配置。
【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
配置された紫色光垂直カットオフフィルターを含む眼用器具であって、該紫色光垂直カットオフフィルターは、約４００nm〜４５０nmの範囲の波長の光を急激に吸収する眼用器具。
【請求項２】
該紫色光垂直カットオフフィルターは、少なくとも１種の紫色光吸収染料を含む請求項１に記載の眼用器具。
【請求項３】
該紫色光吸収染料は、眼用器具中に約０．００５％〜０．２％の間の濃度で存在する請求項２に記載の眼用器具。
【請求項４】
該少なくとも１種の紫色光吸収染料は、メチン結合含有染料である請求項２に記載の眼用器具。
【請求項５】
該メチン結合含有染料は、構造１で示される、Eastman Yellow 035-MA である請求項４に記載の眼用器具。
【請求項６】
更に、構造ポリマーを含み、該構造ポリマーはアクリレートである請求項１に記載の眼用器具。
【請求項７】
該紫色光吸収染料は、該構造ポリマーに共有結合されている請求項６に記載の眼用器具。
【請求項８】
該紫色光吸収染料は、該構造ポリマー中に遊離状態で分散されている請求項６に記載の眼用器具。
【請求項９】
構造ポリマー、および構造ポリマー中に配置された紫色光垂直カットオフフィルターを含む眼用器具であって、該紫色光垂直カットオフフィルターは紫色光吸収染料を含み、該紫色光垂直カットオフフィルターは眼用器具全体より小さい、眼用器具。
【請求項１０】
該染料は、該眼用器具の中心近くで独立領域を形成し、該独立領域は中心および境界部を有する請求項９に記載の眼用器具。
【請求項１１】
該紫色光垂直カットオフフィルターは、該独立領域内で該吸収染料の濃度勾配を有し、該濃度勾配は、該独立領域の中心で紫色光吸収染料の最も高い濃度および該独立領域の境界部で最も低い染料濃度を有する請求項１０に記載の眼用器具。
【請求項１２】
配置された紫色光垂直カットオフフィルターを含む眼用器具であって、該紫色光垂直カットオフフィルターは、％透過率対波長としてプロットした場合、曲線が図２に示すような形状を持つように、約４００nm〜４５０nmの範囲の波長の光を急激に吸収する眼用器具。
【請求項１３】
該紫色光垂直カットオフフィルターは、約４０５nm〜４４０nmの範囲の波長の光を急激に吸収する請求項１２に記載の眼用器具。
【請求項１４】
該紫色光垂直カットオフフィルターは、約４１５nm〜４４０nmの範囲の波長の光を急激に吸収する請求項１２に記載の眼用器具。
【請求項１５】
該紫色光垂直カットオフフィルターは、約４２０nm〜４４０nmの範囲の波長の光を急激に吸収する請求項１２に記載の眼用器具。
【請求項１６】
更に、紫外線吸収性化合物を含む、請求項１〜１２のいずれかに記載の眼用器具。
【請求項１７】
紫外線吸収性化合物は、ベンゾフェノン又はベンゾトリアゾールである請求項１６に記載の眼用器具。
【請求項１８】
該眼用器具は、眼内レンズ、サングラス、眼鏡およびコンタクトレンズからなる群から選択される請求項１〜１２のいずれかに記載の眼用器具。
【請求項１９】
眼の網膜に光を透過させる中央開口を有する本体、
該開口の少なくとも一部内に配置された染料
を含み、
該中央開口は、４２０nm〜４５０nmの間の第１波長において、約１０％の第１透過率を有し、
該中央開口は、該第１波長より約１０nm大きい第２波長において、約５０％である第２透過率を有する
眼用器具。
【請求項２０】
該眼用器具は、実質的に屈折力を持たない請求項１９に記載の眼用器具。
【請求項２１】
該眼用器具は、レンズ、眼内レンズ、コンタクトレンズおよび眼鏡からなる群から選択される請求項１９に記載の眼用器具。
【請求項２２】
該第１波長は、約４２０nm〜約４４０nmの範囲にある請求項１９に記載の眼用器具。
【請求項２３】
該第１波長は約４３０nmであり、該第２波長は約４４０である請求項１９に記載の眼用器具。
【請求項２４】
該第１波長は約４２４nmであり、該第２波長は約４３５である請求項１９に記載の眼用器具。
【請求項２５】
該第１波長は約４３９nmであり、該第２波長は約４４８である請求項１９に記載の眼用器具。
【請求項２６】
眼の網膜に光を透過させる中央開口を有する本体、
該開口の少なくとも一部内に配置された染料
を含み、
該中央開口は、４２０nm〜４５０nmの間の波長における透過機能に特徴があり、
該透過機能は、波長範囲の少なくとも一部で、波長の１ナノメータ変化につき約３％より大きい透過率変化である傾斜を有する
眼用器具。
【請求項２７】
該透過機能は、波長範囲の少なくとも一部で、波長の１ナノメータ変化につき約４％より大きい透過率変化である傾斜を有する請求項２６に記載の眼用器具。
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
複数の実質的に赤（Ｒ）、緑（Ｇ）、および青（Ｂ）の画素をその中に有し、各画素が励起に応答して様々な量のＲ、Ｇ、およびＢ光を各画素から放出させるために様々な大きさの励起を受け取るようになされたＣＬＣＤ（２２）を備え、前記ＣＬＣＤ（２２）が前記画素の励起情報を受け取るための入力部を含み、
前記励起情報を前記ＣＬＣＤ（２２）に供給するために、前記ＣＬＣＤ（２２）の前記入力部に結合された出力部を有するプロセッサ（７０）を備え、前記プロセッサ（７０）は、前記ＣＬＣＤ（２２）によって表示されるべき文字の文字画素マップを定義する少なくとも１つの文字コードと、前記文字が前記ＣＬＣＤ（２２）によって表示されるべき色を部分的に決定する空間シェーディング色マップを定義する少なくとも１つの色コードとを受け取るように構成され、前記プロセッサ（７０）は、前記ＣＬＣＤ（２２）の画素のために前記空間シェーディング色マップと前記文字画素マップとを混合して空間シェーディングとグレーレベル混合を両方組み入れた複合画素マップを生成するとともに、前記複合画素マップの少なくとも一部分を基にして、前記励起情報を前記ＣＬＣＤ（２２）に供給するように動作可能であるプロセッサ（７０）とを備える、
カラー液晶ディスプレイ（ＣＬＣＤ）システム（２２）。
【請求項２】
表示されるべき文字を定義する文字コードと所定の色を定義する色コードとを受け取るステップと、
前記文字コードから文字画素パターンを決定するとともに前記色コードから空間的色画素パターンを決定するステップと、
前記文字画素パターンと前記空間的画素パターンとを混合して、少なくとも表示されるべき前記文字の画素パターン輪郭部内の各画素に対する混合画素値を有する複合画素パターンを生成するステップと、
前記混合画素値の少なくとも一部分を基にして、各画素に対する赤（Ｒ）、緑（Ｇ）、および青（Ｂ）画素駆動値を決定するステップと、
前記画素駆動値を前記ＣＬＣＤ（２２）の前記画素に送るステップと、
を含む文字を所定の色で表示するようにカラー液晶ディスプレイ（ＣＬＣＤ）（２２）の画素を駆動する方法。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
第一の電気装置の導通点と第二の電気装置の導通点との間に一時的な電気接続を提供するよう適合された柔軟電気接点アセンブリであって、前記電気装置は、間にある前記アセンブリと一緒に圧縮の方向に圧縮力によって圧縮され、前記アセンブリは、
（ａ）少なくとも１つの柔軟電気接点であって、導電性があって、固有の弾性がある、ある長さの材料を含み、前記材料は、少なくともわずかに１を超えるループを有するコイルに形成されており、各ループが軸を有していて、前記ループ軸は前記圧縮の方向と第一の角度をなし、かつ前記接点は前記導通点との電気的な接続のために概ね向かい合う接触点を有し、前記接触点の内の第一の接触点は、前記コイルに対し概ね接線方向であって前記圧縮の方向に対して第二の角をなすリード線上にある、前記接点と、
（ｂ）前記少なくとも１つの電気接点の各々について貫通口を有する誘電体パネルであって、前記接点は、前記接触点が前記貫通口の向き合う開口を通って延びるように前記貫通口に捕獲されている誘電体パネルと、
を備えるアセンブリ。
【請求項２】
前記接触点の内の第二の接触点は、前記コイルの前記リード線の概ね反対側の側面にある、請求項１に記載の柔軟電気接点アセンブリ。
【請求項３】
前記第一の角度が約５度から約９０度の範囲にある請求項１に記載の柔軟電気接点アセンブリ。
【請求項４】
前記ループ軸が同軸である請求項１に記載の柔軟電気接点アセンブリ。
【請求項５】
第一の電気装置の導通点と第二の電気装置の導通点との間に一時的な電気接続を提供するよう適合された柔軟電気接点アセンブリであって、前記電気装置は、間にある前記アセンブリと一緒に圧縮の方向に圧縮力によって圧縮され、前記アセンブリは、
（ａ）少なくとも１つの柔軟電気接点であって、導電性があって、固有の弾性がある、ある長さの材料を含み、前記材料は、少なくともわずかに１を超えるループを有するコイルに形成されており、前記コイルが前記圧縮の方向に対して約５度から約９０度の範囲にある第一の角度をなす軸を有し、かつ前記接点は前記導通点との電気的な接続のために概ね向かい合う接触点を有し、前記接触点の内の第一の接触点は、前記コイルに対し概ね接線方向であって前記圧縮の方向に対して第二の角をなすリード線上にあり、  前記接触点の内の第二の接触点は、前記コイルの前記リード線の概ね反対側の側面にある、前記接点と、
（ｂ）前記少なくとも１つの電気接点の各々について貫通口を有する誘電体パネルであって、前記接点は、前記接触点が前記貫通口に向かい合う開口を通って延びるように前記貫通口に捕獲されている誘電体パネルと、
を備えるアセンブリ。
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
入力デバイスによって検出された動きに基づき、所望のユーザインターフェースナビゲーションタスクを示すための方法であって、前記動きは第１方向を有する第１セクションと前記第１方向とは実質的に反対の第２方向を有する第２セクションを含み、前記方法は、
２次元信号のシーケンスを受信するステップであって、第１の複数の２次元信号は前記第１セクションの動きに対応し、第２の複数の２次元信号は前記第２セクションの動きに対応するステップと、
前記２次元信号間の距離測定を決定するために前記２次元信号のシーケンスの少なくとも一部を処理し、前記第１の複数の２次元信号のうちの少なくとも一つのキラリティから共通の極性を決定するステップと、
前記所望のユーザインターフェースナビゲーションタスクを示すために複数の１次元出力信号を提供するステップとを含み、前記複数の１次元出力信号の各々は、前記２次元信号の少なくとも１つに応答して提供され、前記距離測定の少なくとも一部に基づいた大きさを有し、さらに共通の極性を有する、
方法。
【請求項２】
前記受信するステップは更に、第３セクションの動きに対応する第３の複数の２次元信号を受信し、かつ、前記第３の複数の２次元信号に応答して前記共通の極性とは反対の極性を有する第２の複数の１次元信号を生成するステップを含む、請求項１記載の方法。
【請求項３】
前記第３セクションの前記動きは前記第２セクションの動作の実質的な反転に対応する、請求項２記載の方法。
【請求項４】
前記反転は確立された前記動きの回転方向から徐々に逸脱する、請求項３記載の方法。
【請求項５】
前記確立された回転方向は、少なくとも一部が前記動きの第１および第２のセクションの十分な回転から決定される、請求項４記載の方法。
【請求項６】
前記２次元信号の少なくとも１つに関連づけられた現在のヘディングを決定するステップを更に含み、前記現在のヘディングは複数の潜在的なヘディングの１つと関連づけられる、請求項１記載の方法。
【請求項７】
前記複数の潜在的ヘディングから選択された候補ヘディングで現在のヘディングを更新するステップをさらに含み、前記候補ヘディングは十分な動きが発生するまで前記候補ヘディングの前記方向において互換性のある動きを蓄積することによって決定される、請求項６記載の方法。
【請求項８】
ユーザによって与えられた２次元の動きを受信するよう、かつ、前記２次元の動きに対応する複数の付加的２次元信号を生成するよう構成された入力デバイスと、
前記ユーザに１次元のユーザインターフェース機能を示すように構成されたディスプレイと、
前記入力デバイスと前記ディスプレイとに結合されたプロセッサとを含み、前記プロセッサは前記入力デバイスから前記複数の２次元信号を受信するよう、少なくとも１つの距離測定を決定するために前記２次元信号を処理するよう、かつ、前記ディスプレイ上に前記ユーザインターフェース機能の前記１次元表示を生成するよう構成されており、前記１次元表示は前記少なくとも１つの距離測定の関数として決定される大きさと一定の極性を含む、
データ処理システム。
【請求項９】
前記プロセッサはさらに前記２次元信号に基づいて前記２次元の動きのキラリティを決定するように構成されている、請求項８記載のデータ処理システム。
【請求項１０】
前記入力デバイスは更に、前記２次元の動きに対応する第２の複数の付加的な２次元信号を生成するために、ユーザによって適応された第２の２次元の動きを受信するように構成されており、かつ、
前記プロセッサは更に、前記入力デバイスから第２の複数の付加的な２次元信号を受信するよう、少なくとも１つの付加的距離測定を決定するために前記第２の複数の２次元信号を処理するよう、前記第２の複数の２次元信号に関連づけられた前記回転方向が前記確立された回転方向とは反対であることを判断するよう、かつ、前記ディスプレイ上に前記ユーザインターフェース機能の第２の複数の１次元表示を生成するよう、前記入力デバイスから前記第２の複数の付加的２次元信号を受信するように構成されており、前記第２の１次元表示は少なくとも１つの付加的距離測定の関数として決定される大きさと前記一定の極性とは反対の極性を含む、請求項８記載のデータ処理システム。
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
心臓チャンバの電気活動を表す感知信号を生成し、その感知信号が指定された固有の検出閾値を超えた場合にチャンバ・センスを検出する感知チャネルと、
抗頻拍ペーシング治療を施すペーシング・チャネルと、
前記感知チャネルとペーシング・チャネルにインターフェースをとるコントローラと
から構成され、前記コントローラは、
検出されたチャンバ・センスのレートが指定された頻拍閾値を超えた場合に心臓チャンバの頻拍症を検出し、
頻拍症が検出されると、抗頻拍ペーシング・プロトコルに従って１つまたは複数のペーシング・パルスのバーストを送出し、前記バーストがチャンバ・センスに関する指定のカップリング間隔後に出力され、
前記ペーシング・パルスの出力に後続する捕捉検出ウィンドウ中に誘発反応が生じたかどうかを検出することによって、ペーシング・パルスが心臓チャンバを捕捉したかどうかを判断し、
前記バースト中に捕捉を行った連続ペーシング・パルスの数をカウントすることによって心臓チャンバが同調された程度を決定するようにプログラミングされていることを特徴とする心リズム管理装置。
【請求項２】
前記コントローラは、前記バースト中に捕捉を行った連続ペーシング・パルスの数と同調閾値数Ｍを比較するようにさらにプログラミングされていることを特徴とする請求項１に記載の心リズム管理装置。
【請求項３】
前記コントローラは、Ｍ個の連続ペーシング・パルスが捕捉を行った場合に前記バーストを停止するようにさらにプログラミングされていることを特徴とする請求項２に記載の心リズム管理装置。
【請求項４】
前記コントローラは、頻拍性不整脈が存続する場合に後続のバーストに関する同調閾値Ｍを増加するようにさらにプログラミングされていることを特徴とする請求項３に記載の心リズム管理装置。
【請求項５】
前記コントローラは、頻拍性不整脈が存続して前のバーストで捕捉を行った連続ペーシング・パルスの数がＭ未満の場合に、後続のバーストに関するカップリング間隔を大きくするようにさらにプログラミングされていることを特徴とする請求項２に記載の心リズム管理装置。
【請求項６】
前記コントローラは、頻拍性不整脈が存続して前のバーストで捕捉を行った連続ペーシング・パルスの数がＭ未満の場合に、後続のバーストに関するカップリング間隔を小さくするようにさらにプログラミングされていることを特徴とする請求項２に記載の心リズム管理装置。
【請求項７】
前記送出されるバーストは、指定されたサイクル長で分離された一連のペーシング・パルスであることを特徴とする請求項１に記載の心リズム管理装置。
【請求項８】
前記バーストはランプタイプ・バーストであって、ペーシング・パルス間のサイクル長が前記バースト中のパルスごとに次第に短縮されるようになっていることを特徴とする請求項７に記載の心リズム管理装置。
【請求項９】
前記送出されるバーストは指定されたサイクル長で分離された一連のペーシング・パルスであり、前記コントローラは、頻拍性不整脈が存続して前のバーストで捕捉を行った連続ペーシング・パルスの数がＭ未満の場合に、後続のバーストに関するサイクル長を調整するようにさらにプログラミングされていることを特徴とする請求項２に記載の心リズム管理装置。
【請求項１０】
前記送出されるバーストは指定されたサイクル長で分離された一連のペーシング・パルスであり、前記コントローラは、頻拍性不整脈が存続して前のバーストで捕捉を行った連続ペーシング・パルスの数がＭ未満の場合に、後続のバーストに関するペーシング・パルス・エネルギを調整するようにさらにプログラミングされていることを特徴とする請求項２に記載の心リズム管理装置。
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
約２％〜約１０％の剛性繊維と、約９０％〜約９８％のマイクロファイバとを含む作用表面を含む、化学組成物を基材表面に施すための房状布帛。
【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
眼科用または非眼科用の手術用ナイフのハンドルにおけるハンドルベースに刃を取り付けるための刃固定システムにおいて、
平らな上面、底面、および第１、第２、第３および第４の側部を備えたキャップであって、前記第１、第２、第３および第４の側部の少なくとも１つが前記上面と底面との間に斜めに延在するキャップと、
底面および第１、第２および第３の側部を備えた受け入れ口を有する前記ハンドルベースであって、前記第１、第２および第３の側部の少なくとも１つが前記底面から斜めに延在し、前記受け入れ口がさらに第４の開かれた側部と開かれた上面を有して刃を受け入れることができ、前記受け入れ口が前記キャップとスライド可能に係合するハンドルベースと、
少なくとも１つの開口と曲線状の端部を有し前記受け入れ口内に取り付けられるようにされた刃であって、前記曲線状の端部が前記受け入れ口と前記キャップとの前記スライド可能な係合によって前記ハンドルベースに固定される刃と、
前記受け入れ口の面に配置された中央の固定用傾斜部と前記キャップの面に配置された第２の固定傾斜部であって、前記中央固定用傾斜部と前記第２固定傾斜部は前記受け入れ口と前記キャップとの前記スライド可能な係合によって互いに接触して固定するよう位置決めされた前記中央固定用傾斜部と前記第２固定傾斜部と、
を具えたことを特徴とする刃固定システム。
【請求項２】
前記受け入れ口の前記第１および第２の側部は、前記受け入れ口の前記底面から、前記受け入れ口の前記底面に対する第１の角度で延在することを特徴とする請求項１に記載の刃固定システム。
【請求項３】
前記受け入れ口の前記第１および第２の側部は、前記キャップの前記第１および第２の側部とスライド可能に係合し、該スライド可能な係合は、前記ハンドルベースと前記キャップの間にあり継ぎ結合を含むことを特徴とする請求項１に記載の刃固定システム。
【請求項４】
前記中央固定用傾斜部は、前記受け入れ口の前記底面上に配置され、該中央固定用傾斜部は第１の傾斜と後部面を備えることを特徴とする請求項１に記載の刃固定システム。
【請求項５】
前記刃の少なくとも１つの前記開口は、前記受け入れ口の前記中央固定用傾斜部の周囲にはめ込まれるように形状が定められることを特徴とする請求項４に記載の刃固定システム。
【請求項６】
前記第２固定傾斜部は、前記キャップの前記底面上に配置され、該第２固定傾斜部は第２の傾斜を有することを特徴とする請求項５に記載の刃固定システム。
【請求項７】
前記受け入れ口と前記キャップの間の前記スライド可能な係合は、前記中央固定用傾斜部と前記第２の固定用傾斜部とを係合させて当該第２の固定用傾斜部を前記中央固定用傾斜部の前記後部面と前記受け入れ口の前記第３の側部との間に配置することを特徴とする請求項６に記載の刃固定システム。
【請求項８】
前記キャップは、さらに前記キャップの前記底面上にレリーフ開口を備えて前記受け入れ口の前記底面上の前記中央固定用傾斜部を受け入れることを特徴とする請求項４に記載の刃固定システム。
【請求項９】
前記受け入れ口の前記底面は実質的に平坦であることを特徴とする請求項１に記載の刃固定システム。
【請求項１０】
前記受け入れ口の前記底面は、前記ハンドルベースの中心線に対して第２の角度をなすことを特徴とする請求項１に記載の刃固定システム。
【手続補正２】
【補正対象書類名】明細書
【補正対象項目名】００２１
【補正方法】変更
【補正の内容】
【００２１】
図４に、中央固定用傾斜部１１０がより詳細に示される。中央固定用傾斜部１１０は、一段高い平らな端１１６よりわずかに高さが低い丸みのある端１１２を含む。固定用傾斜部１１０の丸みのある端１１２における高さは、刃２００（不図示）の厚さと等しいかわずかに低く、これによって、以下に詳細に示すように、刃が一度所定の位置に配置されると、キャップ３００との係合がより容易になる。この高さが低くなることは、丸い端１１２と一段高い平らな端１１６の間の傾斜によっている。この傾斜１１４は、キャップ３００上の第２の固定用傾斜部（図５の３１０）と係合するのに用いられる。傾斜１１４は、キャップの第２の固定用傾斜部３１０を、上述したテーパの側部による制限に抗して、また、一段高い平らな端１１６の上方で、受け入れ口１０２から直交する方向にわずかに移動させるのに助けとなる。第２の固定用傾斜部３１０が一段高い平らな端１１６を通り過ぎるとき、その固定用傾斜部は元の位置にスナップ篏合し、中央固定用傾斜部１１０の後ろの開口部１２０内に留まる。中央固定用傾斜部１１０の後部面１１８には上述したような傾斜が無く、それにより、第２の固定用傾斜部３１０が受け入れ口１０２に平行な方向で逆方向に移動することを防ぐことができる。